(57)【要約】【課題】ホースガイドに起因して水栓装置の構成部品点数が多くなったり或いは構造が複雑化したりする問題を解決し、また水栓装置の組付け及び取付けを容易に行うことのできる吐水ヘッド引出式水栓装置を提供する。【解決手段】吐水ヘッドが可撓性のホースとともに水栓本体１２から引出可能とされた吐水ヘッド引出式水栓装置において、水栓本体１２の基端部２２Ａのカウンター２４への着座面とカウンター２４との間に介装されてシールを行う弾性材からなるシート状パッキン４６に、水栓本体１２のハウジング２２と水栓本体１２の内部を通るホースとの間に介在し、ホース移動時のガイドを行う弾性材からなるホースガイド５２をシート状パッキン４６から立ち上る形状で一体に成形しておく。【選択図】        図４
2008175010.tif 000002
【特許請求の範囲】
【請求項１】
水栓本体がカウンター等取付基体に取り付けられるとともに、吐水口を有する吐水ヘッドが、該取付基体を裏側から表側に貫通し、該水栓本体を通って該吐水ヘッドに接続された可撓性のホースとともに該水栓本体から引出可能とされた吐水ヘッド引出式水栓装置において
前記水栓本体の基端部の前記取付基体への着座面と該取付基体との間に介装されてシールを行う弾性材からなるシート状パッキンに、前記水栓本体のハウジングと該水栓本体の内部を通る前記ホースとの間に介在し、ホース移動時のガイドを行う弾性材からなるホースガイドを該シート状パッキンから立ち上る形状で一体に形成してあることを特徴とする吐水ヘッド引出式水栓装置。
【請求項２】
請求項１において、前記ホースガイドが、前記水栓本体の基端部の開口部に沿って全周に亘り設けてあることを特徴とする吐水ヘッド引出式水栓装置。
【発明の詳細な説明】
【技術分野】
【０００１】
この発明は、吐水口を有する吐水ヘッドを可撓性のホースとともに水栓本体から引出可能となした吐水ヘッド引出式水栓装置に関し、詳しくはホース移動時の案内をなすホースガイドの部分に特徴を有するものに関する。
【背景技術】
【０００２】
従来、水栓本体がカウンター等取付基体に取り付けられるとともに、吐水口を有する吐水ヘッドがこれに接続された可撓性のホースとともに水栓本体から引出可能とされた吐水ヘッド引出式水栓装置が公知である。
【０００３】
この吐水ヘッド引出式水栓装置では、可撓性のホースがカウンター等取付基体を裏側から表側に貫通し、そして水栓本体内部を通って吐水ヘッドに接続される。
この種従来の水栓装置では、可撓性のホースとして可撓性を有する金属外管と内側のゴム等の弾性材のチューブからなる内管との２重管構造をなすものが一般的に用いられている。
【０００４】
この吐水ヘッド引出式水栓装置では、吐水ヘッドをホースとともに水栓本体から引き出すとき或いは水栓本体に収納するとき、水栓本体内部を通る可撓性のホースが水栓本体内で移動する。
このときホースが水栓本体のハウジング等と当った状態で移動するとホースが円滑に移動せず、従って吐水ヘッドを円滑に引き出し或いは収納することができない問題を生ずるとともに、ホースが水栓本体のハウジング等と緩衝しながら移動するためにホースが傷んでしまう問題を生ずる。
【０００５】
そこでこのようなホース引出式水栓装置では、水栓本体のハウジングと水栓本体の内部を通るホースとの間に介在し、ホース移動時のガイドを行うホースガイドを設けることが行われている。
下記特許文献１には、このようなホースガイドを備えたホース引出式水栓装置が開示されている。
図９及び図１０はその一具体例の要部を表している。
【０００６】
図９において、２００は基端部２００Ａにおいて図１０のカウンター（取付基体）２０２に取り付けられる水栓本体で、２０４は水栓本体２００を図１０の取付穴２０６においてカウンター２０２に取り付けるための取付装置であり、円筒形状をなす環状部材２０８を備えている。
【０００７】
図９において、２１０は水栓本体２００に水，湯を供給するサプライ管で、２１２は水栓本体２００で混合された水と湯との混合水を流出する流出管である。
図１０において、２１４は吐水ヘッドとともに引き出される可撓性のホースで、同図に示しているようにこのホース２１４はカウンター２０２を裏側から表側に貫通し、更に水栓本体２００を通って図示を省略する吐水ヘッドに接続されている。
【０００８】
図９において２１６はホース２１４の移動時のガイドをなすホースガイドで、上下方向に貫通のガイド孔２１８を有しており、そこにホース２１４が挿通されている。
このホースガイド２１６は、上端部に全周に亘って設けられたフランジ部２２０を有しており、図１０（Ａ）に示しているようにこのフランジ部２２０が取付装置２０４の環状部材２０８と水栓本体２００とで上下に挟持される状態に取り付けられる。
【０００９】
尚、図１０において２２２は、水栓本体２００の基端部２００Ａのカウンター２０２への着座面とカウンター２０２との間に介装されて、水栓本体２００とカウンター２０２との間でシールを行うゴム等の弾性材からなるシート状パッキンである。
即ち水栓本体２００は、かかるシート状パッキン２２２を介してカウンター２０２に取り付けられる。
【００１０】
しかしながらこの吐水へッド引出式水栓装置の場合、ホースガイド２１６が別部品として必要で、水栓装置の構成部品点数が多くなり、このことが水栓装置のコストを高める要因となる。
またホースガイド２１６が大型の部品となり、これが広いスペースを占めるとともに水栓装置の構造、特に水栓本体２００のカウンター２０２への取付部分の構造が複雑化し、またこれに伴って組付けも複雑化する。
また施工現場で作業者が組付作業中にホースガイド２１６を落として見失ってしまうといった恐れもあり、この場合水栓装置の組付け及び取付施工ができなくなってしまう。
【００１１】
更にホースガイド２１６は通常樹脂にて構成されるが、この場合ホースガイド２１６が硬質の部材であるため、組付けの位置や向きが正しく定められた位置や向きとなっていないと組付けができないといった問題も内在する。
【００１２】
【特許文献１】特開２００６−１４４３３０号公報
【発明の開示】
【発明が解決しようとする課題】
【００１３】
本発明は以上のような事情を背景とし、ホースガイドに起因して水栓装置の構成部品点数が多くなったり或いは構造が複雑化したりする問題を解決し、また水栓の組付け及び取付けを容易に行うことのできる吐水ヘッド引出式水栓装置を提供することを目的としてなされたものである。
【課題を解決するための手段】
【００１４】
而して請求項１のものは、水栓本体がカウンター等取付基体に取り付けられるとともに、吐水口を有する吐水ヘッドが、該取付基体を裏側から表側に貫通し、該水栓本体を通って該吐水ヘッドに接続された可撓性のホースとともに該水栓本体から引出可能とされた吐水ヘッド引出式水栓装置において、前記水栓本体の基端部の前記取付基体への着座面と該取付基体との間に介装されてシールを行う弾性材からなるシート状パッキンに、前記水栓本体のハウジングと該水栓本体の内部を通る前記ホースとの間に介在し、ホース移動時のガイドを行う弾性材からなるホースガイドを該シート状パッキンから立ち上る形状で一体に形成してあることを特徴とする。
【００１５】
請求項２のものは、請求項１において、前記ホースガイドが、前記水栓本体の基端部の開口部に沿って全周に亘り設けてあることを特徴とする。
【発明の作用・効果】
【００１６】
以上のように本発明は、水栓本体とカウンター等取付基体との間に介装されてシールを行う弾性材からなるシート状パッキンに、弾性材からなるホースガイドをシート状パッキンから立ち上る形状で一体に形成したもので、本発明によれば、ホースガイドを別部品として必要としなくなり、水栓装置の構成に必要な部品を削減し得て、水栓装置のコストを低減できるとともに、水栓装置の構造を簡単化でき、またこれに伴って水栓装置の組付け及び取付けを簡単化することができる。
【００１７】
また本発明ではホースガイドが弾性材にてシート状パッキンと一体に形成してあることから、水栓本体側の形状が複雑であってもホースガイド自体の弾性変形によって容易にホースガイドを所定位置に組み付けることができる。
【００１８】
またホースガイドがシート状パッキンに一体に形成してあるため、施工作業中に別部品としてのホースガイドを単品状態で落としてしまってこれを見失い、水栓の組付け及び取付けに支障を来たすといった問題も併せて解決することができる。
【００１９】
本発明では、上記ホースガイドを水栓本体の基端部の開口部に沿って全周に亘り設けておくことができる（請求項２）。
この場合、その開口部が円形状をなしている場合にはシート状パッキン及びホースガイドをどの回転角度位置で取り付けても、ホース移動時の円滑な案内をホースガイドにて行うことができる。
【００２０】
またその開口部が周方向所定個所で内向きに突出した部分を有している場合には、その突出部に沿った形の凹陥部を有するようにホースガイドの形状を定めておくことで、その凹陥部と突出部との嵌め合わせにより自動的にシート状パッキンと一体のホースガイドを回転方向に位置決できる利点が得られる。
【発明を実施するための最良の形態】
【００２１】
次に本発明の実施形態を図面に基づいて詳しく説明する。
図１及び図２において、１０は本実施形態のシングルレバー式の混合水栓装置で、１２は水栓本体である。
水栓本体１２の上部にはレバー操作部１４が回動可能に設けられている。
この混合水栓装置１０では、レバー操作部１４を左右に回動動作させることで吐水の温度調節が行われ、また上下に回動操作することで吐水開始と止水及び水量調節が行われる。
【００２２】
１６は吐水口１８を有する吐水ヘッドで、この吐水ヘッド１６には可撓性のホース２０が接続されており、吐水ヘッド１６とともにホース２０が水栓本体１２から引出可能とされている。
ここでホース２０は、蛇腹形状をなしその蛇腹形状に基づいて可撓性の付与された金属製の外管と、その内側のゴム等の弾性チューブからなる内管との２重管構造をなしている。
ホース２０は、後述のカウンター（取付基体）２４の取付穴２６をカウンター２４の裏側（下側）から表側（上側）に貫通し、更に水栓本体１２内部を通って吐水へッド１６に接続されている。
【００２３】
２２は水栓本体１２におけるハウジング（ここでは金属製）で、基端部２２Ａが、カウンター２４に対し取付穴２６において取付固定されている。
図３及び図４にその取付構造が具体的に示してある。
図に示しているように水栓本体１２は、カウンター２４の裏側に配置された馬蹄形のホルダ３０と水栓本体１２自体とでカウンター下のパッキン３２を介し上下両側からカウンター２４を挟持する状態に、かかるカウンター２４に取付固定されている。
詳しくは、図４にも示しているように水栓本体１２は周方向の所定個所に厚肉部３４を有していて、その厚肉部３４に雌ねじ孔３６が形成され、そこに円筒形状をなすボルト３８の上端部がねじ込まれている。
【００２４】
ボルト３８は、カウンター２４の取付穴２６及びパッキン３２，ホルダ３０の各挿通孔３７を挿通して下端部がカウンター２４の下側に突き出しており、その突き出した下端部に円筒形状をなすナット４０がねじ込まれ、かかるナット４０の締込みにより水栓本体１２がカウンター２４に取付固定されている。
【００２５】
尚、図２及び図３において４２は水槽底部のポップアップ式の排水栓を開閉する操作棒で、この操作棒４２は水栓本体１２の厚肉部３４を貫通して上端側が水栓本体１２の外部に突き出している。そしてその上端部に操作力の入力である摘み４４が設けられている。
尚、この操作棒４２は円筒形状をなすボルト３８の内部に挿通されている。
【００２６】
図３に示しているように水栓本体１２、詳しくはハウジング２２の基端部２２Ａのカウンター２４への着座面とカウンター２４との間には、それらの間でシールを行うゴム等の弾性材からなるシート状パッキン４６が介装されている。
図５に、この水栓本体１２の下側のシート状パッキン４６の構成が具体的に示してある。
【００２７】
同図に示しているようにこのシート状パッキン４６は、水栓本体１２におけるハウジング２２の下端の開口部４８（図４参照）に対応した開口部５０を内側に有するドーナッツ環状をなしており、そしてこのシート状パッキン４６に、同一材料の弾性材からなるホースガイド５２が周方向所定個所に且つ所定周長に亘って円弧状に一体に成形されている。
【００２８】
ホースガイド５２は、図５に示しているようにシート状パッキン４６から上向きに起立する立上り部５４と、その上端で径方向外方に曲った係合部５６とを有している。
このホースガイド５２は、立上り部５４が図３に示しているように水栓本体１２内部を通るホース２０の近傍において、水栓本体１２の基端部２２Ａの内向きの鍔状部５８の内側に位置し、そして上端部の係合部５６とドーナッツ環状をなすシート状パッキン４６とで鍔状部５８を上下両側から挟む状態に、水栓本体１２の基端部２２Ａに係合せしめられている。
【００２９】
この吐水ヘッド引出式の混合水栓装置１０では、吐水ヘッド１６の引出し及び収納時に、ホース２０が水栓本体１２内部で移動する際、弾性材からなるホースガイド５２がホース２０の外面に摺接して移動時のガイドをなす。
【００３０】
以上のような本実施形態によれば、別部品としてのホースガイドを不要となし得、水栓装置の構成に必要な部品を削減し得て、水栓装置のコストを低減できるとともに、水栓装置の構造を簡単化でき、またこれに伴って水栓装置の組付け及びカウンター２４への取付けを簡単化することができる。
また従来の図９及び図１０の大型のホースガイド２１６が占めていたスペースを削減できる。
【００３１】
更に本実施形態ではホースガイド５２が弾性材にてシート状パッキン４６と一体に成形してあることから、ホースガイド５２自体の弾性変形によって容易にホースガイド５２を所定位置に組み付けることができる。
【００３２】
またホースガイド５２がシート状パッキン４６に一体に成形してあるため、施工作業中にホースガイド５２を単独で落としてしまってこれを見失い、水栓の組付け及び取付けに支障を来たすといった問題も併せて解決することができる。
【００３３】
次に図６及び図７は本発明の他の実施形態を示している。
この例は水栓本体１２、詳しくは基端部２２Ａが厚肉部３４を有しておらず、全周に亘って均等な厚みで形成されているとともに、シート状パッキン４６と一体のホースガイド５２を、水栓本体１２の円形の開口部４８に沿って周方向に連続した円環状に形成した例である。
この実施形態では、シート状パッキン４６及びホースガイド５２を回転方向のどの位置、向きに取り付けても、ホース移動時の円滑な案内をホースガイド５２にて行うことができ、回転方向の位置を決めなくても良い利点がある。
【００３４】
図８は本発明の更に他の実施形態を示している。
この例は、水栓本体１２が厚肉部３４を有し、且つホースガイド５２が開口部４８に沿って周方向に連続して形成された例である。
ここで厚肉部３４は周方向所定個所に部分的に形成されており、これに応じてホースガイド５２は、径方向内方に向って突出した厚肉部３４に対応した凹陥部６０を有する形状とされ、その凹陥部６０が径方向内方への突出形状をなす厚肉部３４に嵌り合っている。
【００３５】
尚この凹陥部６０の部分においては、ホースガイド５２には立上り部５４のみが設けられ、係合部５６は設けられていない。
この実施形態では、凹陥部６０が厚肉部３４に嵌り合う状態にホースガイド５２をセットすることで、自動的にシートパッキン４６及びホースガイド５２の回転方向の組付位置が定まる利点が得られる。
【００３６】
以上本発明の実施形態を詳述したがこれらはあくまで一例示であり、本発明はその趣旨を逸脱しない範囲において種々変更を加えた形態で構成可能である。
【図面の簡単な説明】
【００３７】
【図１】本発明の一実施形態である吐水ヘッド引出式水栓装置の斜視図である。
【図２】同実施形態の要部切欠側面図である。
【図３】同実施形態における水栓の取付構造の要部を示した図である。
【図４】図４の取付構造を各部品に分解して示す図である。
【図５】同実施形態におけるシート状パッキンの単品図である。
【図６】本発明の他の実施形態の図である。
【図７】図６におけるシート状パッキンの単品図である。
【図８】本発明の更に他の実施形態の図である。
【図９】従来のホースガイドを水栓の取付構造とともに各部品に分解して示した図である。
【図１０】図９のホースガイドを水栓取付構造の要部とともに示した図である。
【符号の説明】
【００３８】
１０  混合水栓装置
１２  水栓本体
１６  吐水ヘッド
１８  吐水口
２０  ホース
２２  ハウジング
２２Ａ  基端部
２４  カウンター（取付基体）
４６  シート状パッキン
４８  開口部
５２  ホースガイド
【図１】
2008175010.tif 000003
【図２】
2008175010.tif 000004
【図３】
2008175010.tif 000005
【図４】
2008175010.tif 000006
【図５】
2008175010.tif 000007
【図６】
2008175010.tif 000008
【図７】
2008175010.tif 000009
【図８】
2008175010.tif 000010
【図９】
2008175010.tif 000011
【図１０】
2008175010.tif 000012